(57)【要約】      （修正有）【課題】廃棄時に環境問題を起こさず、薄口タイプの板紙を使用した卓上カレンダーケースを提供する。【解決手段】卓上カレンダーケース裏面部３３の左右両サイドにそれぞれ係り合スリット２３〜３０と差込み部３１，３２と内側側面部ｄ１，ｄ２，ｅ１，ｅ２を介して連設された差込み部と折りたたみ脚部を有した裏面部と、裏面部の上辺側に連設した中仕切り部３５と、裏面部の下辺側に底面部１６を介して連設した前面部１と、前面部の左右両サイドにそれぞれ外側側面部を介して連設された差込み部と係り止部を有する一枚の薄口タイプの板紙からなる。裏面部の左右両サイドの内側側面部を折り連設された係り止部に差込み部を差込み内側側面部を固定形成し、中仕切り部を裏面部の前方に折り曲げてからその中仕切り部の上に重なるように前面部を折り曲げるとともに差込み部を裏面部の係り止部に差込み、裏面部の差込み部を前面部の係り止部に差込むことにより裏面部と前面部の間にカレンダー紙葉等の収納空間を形成する。【選択図】図１
0003161617.tif 000002
【実用新案登録請求の範囲】
【請求項１】
折りたたみ脚部と内側側面部を設けた裏面部と、裏面部の上辺側に連設した中仕切り部と、裏面部の下辺側にケース底面部を介して連設した前面部と、前面部の左右両サイドにそれぞれケース外側側面部を介して連設された差込み部と係り止部を有する一枚の板紙からなり、裏面部の内側側面部を二回折りし、中仕切り部を裏面部の前方に折り曲げてから、その中仕切り部の上に重なるように前面部を折り曲げるとともに差込み部を卓上カレンダーケース裏面部の係り止部に差込み、卓上カレンダーケース裏面部の差込み部を卓上カレンダーケース前面部の係り止部に差込むことにより、卓上カレンダーケース側面部を３枚の用紙構成とし、裏面部と前面部の間にカレンダー紙葉等の収納空間を形成したことを特徴とする卓上カレンダーケース。
【考案の詳細な説明】
【技術分野】
【０００１】
本考案は、机などの上に置いて使用される卓上カレンダーケースに関するものである。
【背景技術】
【０００２】
従来、卓上カレンダーケースとしては、透明の塩化ビニール等のプラスチック製ケースのものが多く知られている。また厚板紙製のものも存在する。
【先行技術文献】
【特許文献】
【０００３】
【特許文献１】登録実用新案第３０６３５４１号
【特許文献２】特許公開２００５−１６１６６２
【特許文献３】特許公開２００５−３２３６２５
【特許文献４】登録実用新案第３１５２９４１号
【考案の概要】
【考案が解決しようとする課題】
【０００４】
ケース素材に透明の塩化ビニール等のプラスチック製のものは、使い終わって廃棄する時に環境問題の一因になるという問題があり、厚板紙製の卓上カレンダーケースでは、ＣО２などの温室効果ガス排出量削減問題の一因になる問題がある。廃棄時に再生紙資源としリサイクル可能な環境配慮型で省エネ効果のある薄口タイプの板紙を使用して、組み立て時には糊を使用しない卓上カレンダーケースを提供することにある。
【課題を解決するための手段】
【０００５】
本考案は、上記課題を解決するべくなされたものであり、卓上カレンダーケース裏面部の左右両サイドにそれぞれ係り合スリットと差込み部とケース内側側面部を介して連設された差込み部と折りたたみ脚部を有した裏面部と、裏面部の上辺側に連設した中仕切り部と、裏面部の下辺側にケース底面部を介して連設した前面部と、前面部の左右両サイドにそれぞれケース外側側面部を介して連設された差込み部と係り止部を有する一枚の薄口タイプの板紙からなり、裏面部の左右両サイドのケース内側側面部を折り連設された係り止部に差込み部を差込み、内側側面部を固定形成し、中仕切り部を裏面部の前方に折り曲げてからその中仕切り部の上に重なるように前面部を折り曲げるとともに差込み部を卓上カレンダーケース裏面部の係り止部に差込み、卓上カレンダーケース裏面部の差込み部を卓上カレンダーケース前面部の係り止部に差込むことにより、裏面部と前面部の間にカレンダー紙葉等の収納空間を形成したことで達成している。
【考案の効果】
【０００６】
卓上カレンダーケース裏面部の左右両サイドのケース内側側面部を二回折りし、連設された係り止部に差込み部を差込み、内側側面部を固定形成し、中仕切り部を裏面部の前方に折り曲げてからその中仕切り部の上に重なるように前面部を折り曲げることで、卓上カレンダーケース側面部を用紙３枚で構成することでケースの強度を確保でき、薄口タイプの板紙を使用することができる。
【０００７】
卓上カレンダーケース前面部の差込み部を裏面部の係り止部に差込み、裏面部の差込み部を前面部の係り止部に差込み、双方で係り止部に差込み固定するので糊を使用しなくても卓上カレンダーケースの作りがしっかりしたものになる。
【０００８】
本考案の卓上カレンダーケースは、全体が紙製であるので、廃棄時に再生紙資源としリサイクル可能で、薄口タイプの板紙を使用することができるため、少ない素材量で作成できるため、省エネで、ＣО２などの温室効果ガス排出量削減で環境への取り組みができる。
【図面の簡単な説明】
【０００９】
【図１】本考案に係る卓上カレンダーケースの展開平面図。
【図２】組み立てた状態の卓上カレンダーケースを前面側から見た斜視図。
【図３】組み立てた状態の卓上カレンダーケースを背面側から見た斜視図。
【図４】図２及び図３に示す卓上カレンダーケースを使用状態で背面側から見た斜視図。
【考案を実施するための形態】
【００１０】
以下、図面を参照して本考案の実施の形態を説明する。
【実施例】
【００１１】
図１は本考案に係る卓上カレンダーケースを構成するブランクを示す展開図、図２は図１で示しているブランクを組み立てた状態の卓上カレンダーケースを前面側から見た状態で示す斜視図、図３は同じく背面側から見た状態で示す斜視図、図４は図２及び図３に示す卓上カレンダーケースを使用状態で示す斜視図である。
【００１２】
本考案に係る卓上カレンダーケースは、板紙を打ち抜いて作成された一枚もの（図１）で、裏面部３３には、折りたたみ脚部と左右両サイドにそれぞれ内側側面部d１、d２、e１、e２と係り合スリット２３、２４、２５、２６、２７、２８、２９、３０と差込み部３１、３２を設けて、裏面部３３の上辺側に連設した中仕切り部３５と、裏面部３３の下辺側に底面部１６を介して連設した前面部１とを備え、さらに前面部１の左右両サイドにそれぞれ右前面部表側側面部２、左前面部表側側面部３、を介して連設された、差込み部８、９、１０、１１と係り止部１２、１３とを有している。
【００１３】
裏面部３３は、カレンダー紙葉より少し大きなサイズで、切り込み線b１、c１とミシン目線b２、c２で脚片b、cを区画して、切り込み線a１とミシン目線a２、a３で係り合片aを区画している。そして、左右両辺にそれぞれ内側側面部d１、d２、e１、e２と係り合スリット２３、２４、２５、２６、２７、２８、２９、３０がある。
【００１４】
中仕切り部３５は、裏面部３３の間に折り線３４が設けられている。また、反対方向には、ミシン目線３６が設けられている。
【００１５】
前面部１は、カレンダー紙葉の暦欄が外から見えるように大きな窓３７が設けられている。前面部１の周辺３辺にある右前面部表側側面部２と左前面部表側側面部３と底面部１６は、カレンダー紙葉群を収納する空間の厚みを確保するためのもので、裏面部３３との間にある底面部１６は、右前面部表側側面部２と左前面部表側側面部３より僅かに狭くなっている。この、右前面部表側側面部２と左前面部表側側面部３と底面部１６には、折り線４、５、６、７、１４、１５が設けられていて、右前面部表側側面部２と左前面部表側側面部３には、差込み部８、９、１０、１１と係り止部１２、１３が設けられている。
【００１６】
この図１で示しているブランクを組み立てることにより卓上カレンダーケースが得られる。その手順は次のようにする。まず、裏面部３３の右サイドにあるミシン目線１７を内側に折り(山折り) 、差込み部dを係り合スリット２３、２４に差込み、折り重なった部分のミシン目線１９と２０を内側に折り(山折り)、左側も上記のような手順で同様にして内側側面部を形成します。次に、中仕切り部３５を折り線３４で内側に折り(山折り) ミシン目線３６を外側に折り(谷折り) 中仕切り部を形成し、その中仕切り部の上に重なるように前面部１を折り曲げるとともに、係り合部f、gを切り込み線f１、g１に挿む。次に、差込み部８、９、１０、１１を係り合スリット２８、２７、３０、２９に差込み、差込み部３１、３２を係り止部１２、１３に差し込む。これにより、図２及び図３に示すように、上部に開口が形成されるとともに中仕切り部３５と前面部１の間にカレンダー紙葉群の収納空間が形成される。そして、複数枚数のカレンダー紙葉群を上部の開口から挿入して卓上カレンダーケースとする。
【００１７】
使用時に際しては、図４に示すように卓上カレンダーケースの裏側にある裏面部３３の折りたたみ脚部を起こした状態とし、机などの上に載置する。すなわち、脚片b、cのミシン目線b２、c２を外側に折り(谷折り)し、脚片を開く。次に、係り合片aのミシン目線a２を下側に折り(山折り) 、ミシン目線a３を上側に折り(谷折り)し、差込み部a４、a５を脚片の内側から係り止孔c３、b３に差し込。差込み部a４、a５を下側に少し押すことで、係り止孔c３、b３と差込み部a４、a５が互いに噛み合い脚部分になる。
【産業上の利用可能性】
【００１８】
本考案の卓上カレンダーケースは、カレンダー紙葉を上部の開口から挿入して机などの上に置いて卓上カレンダーとして利用する。
【符号の説明】
【００１９】
１前面部
２右前面部表側側面部
３左前面部表側側面部
４折り線
５折り線
６折り線
７折り線
８差込み部
９差込み部
１０差込み部
１１差込み部
１２係り止部
１３係り止部
１４折り線
１５折り線
１６底面部
１７ミシン目線
１８ミシン目線
１９ミシン目線
２０ミシン目線
２１ミシン目線
２２ミシン目線
２３係り合スリット
２４係り合スリット
２５係り合スリット
２６係り合スリット
２７係り合スリット
２８係り合スリット
２９係り合スリット
３０係り合スリット
３１差込み部
３２差込み部
３３裏面部
３４折り線
３５中仕切り部
３６ミシン目線
３７窓
a係り合片
a１切り込み線
a２ミシン目線
a３ミシン目線
a４差込み部
a５差込み部
b脚片
b１切り込み線
b２ミシン目線
b３係り止孔
c脚片
c１切り込み線
c２ミシン目線
c３係り止孔
d差込み部
d１内側側面部
d２内側側面部
e差込み部
e１内側側面部
e２内側側面部
f係り合部
f１切り込み線
g係り合部
g１切り込み線
【図１】
0003161617.tif 000003
【図２】
0003161617.tif 000004
【図３】
0003161617.tif 000005
【図４】
0003161617.tif 000006